(57)【特許請求の範囲】
【請求項１】
原稿が載置されるプラテンガラスと、
前記プラテンガラスの上方で開閉可能に設けられ、閉じた状態で原稿を前記プラテンガラスに密着させる原稿カバーと、
前記プラテンガラスの下方から前記プラテンガラスに向けて光を照射する光源と、
当該光源から照射された光を受光する受光部と、
前記光源の点灯時において前記受光部が受光した最大光量値と最小光量値との差分、または前記光源の消灯時において前記受光部が受光した最大光量値と最小光量値との差分が、所定の閾値よりも大きい場合に前記原稿カバーが開いた状態であると検知する開閉検知部と、
を有することを特徴とする原稿読取装置。
【請求項２】
前記開閉検知部により前記原稿カバーが開いていることを検知された場合、前記光源から照射される光量を低減するよう前記光源を制御する制御部を有することを特徴とする請求項１に記載の原稿読取装置。
【請求項３】
前記光源は、前記プラテンガラスに載置された原稿に光を照射し、
前記受光部は、原稿から反射した光を受光して原稿の画像情報を得ることを特徴とする請求項１または２に記載の原稿読取装置。
【請求項４】
前記光源は複数の発光ダイオードを少なくとも一次元状に配列したライン状光源であることを特徴とする請求項１から３の何れか一項に記載の原稿読取装置。
【請求項５】
前記開閉検知部により前記原稿カバーの開閉状態を検知する際、前記光源の一部から光を照射することを特徴とする請求項３又は４に記載の原稿読取装置。
【請求項６】
前記原稿カバーは自動原稿送り部であることを特徴とする請求項１から５のいずれか一項に記載の原稿読取装置。
【請求項７】
前記受光部はラインセンサである請求項１から６のいずれか一項に記載の原稿読取装置。
【請求項８】
請求項１から７のいずれか一項の原稿読取装置を備える画像形成装置であって、前記原稿カバーが開いた状態から閉じた状態に変化したとき、印刷準備動作を実行することを特徴とする画像形成装置。
【発明の詳細な説明】
【技術分野】
【０００１】
本発明は、原稿読取装置および画像形成装置に関する。
【背景技術】
【０００２】
一般に、複写機のスキャナ等の原稿読取装置は、読み取り対象となる原稿が載置されるプラテンガラスと、載置された原稿をプラテンガラスに密着させる原稿カバーとを備えている。
【０００３】
原稿読取装置において原稿カバーの開閉動作を検知する技術は従来より各種提案されており、例えば特許文献１、特許文献２、特許文献３に記載された技術がある。
【０００４】
特許文献１に記載された技術では、ＣＣＤセンサの出力値を監視し、原稿カバーが開いて室内の光によりＣＣＤセンサの出力値が増加したことを検知して原稿カバーの開閉動作を検知している。
【０００５】
また、特許文献２に記載された技術では、スキャナ内の制御部が、外部光センサからの検出信号値に基づいて、検出された外部光の強度が増加したか否か及び低下したか否かを判断して、原稿カバーの開閉動作を検知している。
【０００６】
また、特許文献３に記載された技術では、制御部が原稿載置台に外光が入射しているか否かを判断して、原稿カバーの開閉動作を検知している。
【先行技術文献】
【特許文献】
【０００７】
【特許文献１】特開平０６−３０９４４９号公報
【特許文献２】特開２００４−３５７００７号公報
【特許文献３】特開２００９−２３９９２９号公報
【発明の概要】
【発明が解決しようとする課題】
【０００８】
しかし、特許文献１、特許文献２、特許文献３に記載された原稿カバーの開閉動作検知方法では、外部の光が弱い場合に検知精度が低下する等、外部環境により検知精度が左右され、原稿カバーの開閉動作を正確に検知することが出来ない恐れがある。
【０００９】
そこで、本発明の目的は、外部環境の影響を受けず、原稿カバーの開閉状態乃至は開閉動作を確実に検知することが出来る原稿読取装置を提供することにある。
【課題を解決するための手段】
【００１０】
上記目的を達成するため、本発明に係る原稿読取装置は、
原稿が載置されるプラテンガラスと、
前記プラテンガラスの上方で開閉可能に設けられ、閉じた状態で原稿を前記プラテンガラスに密着させる原稿カバーと、
前記プラテンガラスの下方から前記プラテンガラスに向けて光を照射する光源と、
当該光源から照射された光を受光する受光部と、
前記光源の点灯時において前記受光部が受光した最大光量値と最小光量値との差分、または前記光源の消灯時において前記受光部が受光した最大光量値と最小光量値との差分が、所定の閾値よりも大きい場合に前記原稿カバーが開いた状態であると検知する開閉検知部と、
を有することを特徴とするものである。
【発明の効果】
【００１１】
本発明に係る原稿読取装置によれば、外部環境の影響を受けず、原稿カバーの開閉を確実に検知することが出来る。
【図面の簡単な説明】
【００１２】
【図１】画像形成装置の中央断面図である。
【図２】原稿読取装置の中央断面図である。
【図３】原稿読取装置の斜視図である。
【図４】原稿読取装置の制御構成を示すブロック図である。
【図５】自動原稿送り部の開閉動作を検知して印刷準備を開始する動作を示すフローチャート図である。
【図６】自動原稿送り部の開閉動作を検知して印刷準備を開始する動作を示すフローチャート図である。
【発明を実施するための形態】
【００１３】
［画像形成装置の概要］
図１は、画像形成装置Ｘの中央断面図である。
【００１４】
画像形成装置Ｘは、原稿読取装置ＹＳと画像形成装置本体ＧＨから構成される。画像形成装置本体ＧＨは複数組の画像形成部１０Ｙ、１０Ｍ、１０Ｃ、１０Ｋ、ベルト状の中間転写ベルト５等からなる。
【００１５】
画像形成装置本体ＧＨの上部には、自動原稿送り部１０と読取部２０等から構成される原稿読取装置ＹＳが配置されている。自動原稿送り部１０の原稿台に載置された原稿Ｄは搬送部により搬送され、読取部２０の光学系により原稿Ｄの片面又は両面の画像が走査露光され、ライン読取部に読み込まれる。
【００１６】
ライン読取部により光電変換されて形成された信号は、画像処理部において、アナログ処理、Ａ／Ｄ変換、シェーディング補正、画像圧縮処理等が行われた後、露光部３Ｙ、３Ｍ、３Ｃ、３Ｋに送られる。
【００１７】
イエロー（Ｙ）色の画像を形成する画像形成部１０Ｙは、感光体ドラム１Ｙの周囲に帯電部２Ｙ、露光部３Ｙ、現像部４Ｙ、クリーニング部７Ｙを配置している。画像形成部１０Ｍ、１０Ｃ、１０Ｋは画像形成部１０Ｙとほぼ同様の構成となっている。現像部４Ｙ、４Ｍ、４Ｃ、４Ｋは、イエロー（Ｙ）、マゼンタ（Ｍ）、シアン（Ｃ）及び黒（Ｋ）の小粒径のトナーとキャリアからなる２成分現像剤を内包する。トナーは発色剤となる顔料若しくは染料と、定着後に定着ベルト８１からのトナーの剥離を助けるワックスと、これらを保持するバインダー樹脂とからなる。
【００１８】
中間転写ベルト５は、複数のローラにより巻回され、回動可能に支持されている。
【００１９】
定着部８は、加熱された定着ベルト８１と加圧ローラ８２との間に形成されたニップ部で用紙Ｐのトナー像を加熱・加圧して定着する。
【００２０】
画像形成部１０Ｙ、１０Ｍ、１０Ｃ、１０Ｋより形成された各色の画像は、回動する中間転写ベルト５に転写部６Ｙ、６Ｍ、６Ｃ、６Ｋにより逐次転写されて、カラーのトナー像が形成される。給紙カセットＣＴ内に収容された用紙Ｐは、給紙部９１により給紙され、給紙ローラ９２Ａ、９２Ｂ、９２Ｃ、９２Ｄ、レジストローラ９３等を経て、転写部６Ａに搬送され、用紙Ｐにカラーのトナー像が転写される。カラーのトナー像が転写された用紙Ｐは定着部８において加熱・加圧され、カラーのトナー像が用紙Ｐに定着される。その後、排紙ローラ９４に挟持されて排紙トレイ９５に載置される。
【００２１】
転写部６Ａにより用紙Ｐにカラーのトナー像を転写された後、用紙Ｐを剥離した中間転写ベルト５は、クリーニング部７Ａにより残留したトナーが除去される。
【００２２】
［原稿読取装置の概要］
図２は、原稿読取装置ＹＳの中央断面図であり、図３は原稿読取装置ＹＳの斜視図である。図２、図３に示すように原稿読取装置ＹＳは、自動原稿送り部１０と、読取部２０と、操作部３０から構成される。自動原稿送り部１０は、セットされた原稿Ｄを自動的に読取部２０へ搬送する。読取部２０はプラテンガラス２２に載置された原稿の画像を読み取る。
【００２３】
図３で示すように、自動原稿送り部１０はヒンジ部１９によって読取部２０に取り付けられており、読取部２０に対して開閉可能である。また、自動原稿送り部１０はプラテンガラス２２を覆い、閉じた状態で原稿をプラテンガラス２２に密着させる。すなわち、本実施形態においては、自動原稿送り部１０は、原稿カバーとしての機能を有する。
【００２４】
プラテンガラス２２に１枚の原稿が載置されると、第１ミラーユニット２３の光源２３１から出射された主走査方向（図３のｘ方向）に広がる光が原稿に対して照射される。光源２３１は主走査方向に複数の発光ダイオードを少なくとも一次元状に配列したライン状光源である。原稿から反射した光は、第１ミラーユニット２３、第２ミラーユニット２４、結像レンズ２５を通過し、ライン読取部（受光部）２６に結像される。
【００２５】
ライン読取部２６は、原稿の画像を読み取るものである。ライン読取部２６は、１画素毎に光電変換する複数の撮像素子を主走査方向に一次元状に並べて配置させたラインセンサで構成され、主走査方向の１ライン単位で原稿の画像を読み取る。
【００２６】
光源２３１を有する第１ミラーユニット２３は、主走査方向と直交する副走査方向（ｙ方向）に移動するとともに、第２ミラーユニット２４は第１ミラーユニットの移動速度の１／２の移動速度で同方向に移動する。したがって、プラテンガラス２２上の原稿に対して、第１ミラーユニット２３と第２ミラーユニット２４が副走査方向に移動することにより、読み取り面を副走査方向に移動できる。読み取り面を副走査方向に順次移動させることにより原稿の全面を走査することができ、原稿から反射した光を順次ライン読取部２６によって読み取り、原稿１枚分の画像を読み取ることができる。
【００２７】
自動原稿送り部１０は、原稿載置台１１に載置された複数枚の原稿Ｄを、分離ローラ１２によって１枚ずつ搬送路に送り出し、複数のガイド部材と複数のローラからなる原稿搬送部１３によって搬送し、原稿排紙台１５に排紙する。自動原稿送り部１０によって搬送される原稿Ｄの画像は、搬送路中の原稿画像読取位置２１にて読取部２０により読み取られる。すなわち原稿を移動することにより読み取り面を副走査方向に移動できる。
【００２８】
原稿の両面の画像を読み取る場合は、一対のローラと搬送路切り換えガイドとからなる原稿反転部１６によって、表面の画像が読み取られた原稿Ｄが反転され、再度、原稿搬送部１３に搬送される。裏面の画像が読み取られた原稿は、原稿排紙台１５に排紙される。このように、原稿読取装置ＹＳにおいては、直にプラテンガラス２２に載置した原稿を読み取るだけでなく、自動原稿送り部１０によって搬送される原稿を読み取ることができる。
【００２９】
図３で示すように読取部２０における手前側には操作部３０が設置されており、原稿読取装置ＹＳにおける読取動作の内容を設定することが出来る。操作部３０はタッチパネル形式となっており、原稿読取装置ＹＳで実行している読取動作の状況を表示することも出来る。
【００３０】
図４は、原稿読取装置ＹＳの制御構成を示すブロック図であり、代表的な制御構成のみ示す。
【００３１】
原稿読取装置ＹＳにおける記憶部１０１、開閉検知部１０２等の各部の動作は、制御部１００が制御する。
【００３２】
制御部１００は、主にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成され、ＲＯＭに格納されている各種制御プログラムを読み出してＲＡＭに展開し、各部の動作を制御する。
【００３３】
記憶部１０１は、原稿読取装置ＹＳにおける各種の情報を保存するものであり、制御部１００が各部の動作を制御する際に、記憶部１０１に記憶された情報が参照される。
【００３４】
開閉検知部１０２は、自動原稿送り部１０の開閉状態及び開閉動作を検知するものであり、開閉検知部１０２が行う検知動作については後述する。
【００３５】
第１ミラーユニット２３、光源２３１、第２ミラーユニット２４、ライン読取部２６は制御部１００により動作が制御され、前述したようにプラテンガラス２２に載置された原稿等に対して読取動作が行われる。
【００３６】
［自動原稿送り部の開閉状態及び開閉動作検知］
次に、開閉検知部１０２により、自動原稿送り部１０の開閉動作を検知する動作について説明する。
【００３７】
図１に示す画像形成装置Ｘでは、原稿読取装置ＹＳにおいて自動原稿送り部１０が開いた状態から閉じた状態に変化する動作を検知している。自動原稿送り部１０が開いた状態から閉じた状態に変化すると、ユーザーによってプラテンガラス２２に原稿が載置されたものとみなして露光部３Ｙ、３Ｍ、３Ｃ、３Ｋに設置されたポリゴンミラー（不図示）の回転を開始する等の印刷準備動作を行い、ファーストコピータイムの短縮を図っている。
【００３８】
図５は、自動原稿送り部１０の開閉状態及び開閉動作を検知して印刷準備を開始する動作を示すフローチャート図である。
【００３９】
まず、自動原稿送り部１０の開閉状態及び開閉動作を検知するため、原稿読取装置ＹＳにおける光源２３１を点灯させる（ステップＳ１）。そしてライン読取部２６により受光した光量を読み取り（ステップＳ２）、読み取った光量の値を光量値１として原稿読取装置ＹＳにおける記憶部１０１に保存する（ステップＳ３）。なお、画像形成装置Ｘの印刷動作を停止している際にステップＳ１における光源点灯の動作が行われ、場合によっては自動原稿送り部１０が開いた状態で光源２３１が点灯することになるため、まぶしいとユーザーが不快に感じないよう、ステップＳ１における光源２３１の点灯時間は短い時間（例えば１００ｍｓ）となっている。
【００４０】
ステップＳ３において保存される光量値１を具体的に説明すると、自動原稿送り部１０が閉じた状態であれば、光源２３１から照射された光が自動原稿送り部１０によって反射されてライン読取部２６において読み取られるため、読み取った光量の値は大きい値となる。従って大きな数値として光量値１は記憶部１０１に保存される。
【００４１】
一方、自動原稿送り部１０が開いた状態であれば、光源２３１から照射された光は自動原稿送り部１０によって反射されず、原稿読取装置外から入射される外部の光のみがライン読取部２６において読み取られるため、自動原稿送り部１０が閉じた状態のときに読み取られる数値より小さい値（外部の光に相応する値）が光量値１として保存される。
【００４２】
ステップＳ３において光量値１として保存された後は、光源２３１の点灯を停止して光源２３１を消灯する（ステップＳ４）。そしてライン読取部２６により受光した光量を読み取り（ステップＳ５）、読み取った光量の値を光量値２として原稿読取装置ＹＳにおける記憶部１０１に保存する（ステップＳ６）。
【００４３】
ステップＳ６において保存される光量値２を具体的に説明すると、自動原稿送り部１０が閉じた状態であれば、自動原稿送り部１０により外部の光が遮断されてライン読取部２６に入射する光はなく、ほぼ光量の値が０として光量値２が保存される。
【００４４】
一方、自動原稿送り部１０が開いた状態であれば、原稿読取装置外から入射される外部の光のみがライン読取部２６において読み取られるため、外部の光に相応する値が光量値２として保存される。
【００４５】
原稿読取装置ＹＳの記憶部１０１において光量値１と光量値２が保存された後、光量値１と光量値２の差分を算出し（ステップＳ７）、光量値１と光量値２の差分と、予め設定された閾値とを比較して、差分が閾値より大きいか否か判断する（ステップＳ８）。ステップＳ８における動作は開閉検知部１０２（図４参照）が所定のプログラムに基づいて実行する。
【００４６】
前述したように、自動原稿送り部１０が閉じた状態であると、光量値１は大きな数値であり、光量値２はほぼ０に近い数値となっている。従って、自動原稿送り部１０が閉じた状態であると、光量値１と光量値２との差分は大きな値（閾値より大きい値）となる。
【００４７】
一方、自動原稿送り部１０が開いた状態であると、前述したように、光量値１と光量値２とも外部の光に相応する値で両方の値ともほぼ同じ値となっているため、外部の光が明るい場合でも暗い場合でも光量値１と光量値２との差分がほぼ０の値（閾値より小さい値）となる。
【００４８】
従って、光量値１と光量値２との差分が閾値より大きい場合は（ステップＳ８；Ｙｅｓ）、自動原稿送り部１０が閉じているとして記憶部１０１に履歴保存される（ステップＳ９）。
【００４９】
光量値１と光量値２との差分が閾値より小さい場合は（ステップＳ８；Ｎｏ）、自動原稿送り部１０が開いているとして記憶部１０１に履歴保存される（ステップＳ１０）。自動原稿送り部１０が開いている場合は、まだプラテンガラス２２に原稿が載置されておらず、印刷準備動作を開始する必要がないため、ステップＳ１からＳ８の動作を繰り返す。ただし、自動原稿送り部１０が開いていることにより、まぶしいとユーザーに不快を感じさせないようにするため、光源２３１の光量を低減させるように制御部１００が光源２３１を制御する（ステップＳ１１）。
【００５０】
ステップＳ９において自動原稿送り部１０が閉じていると保存されると、開閉検知部１０２が記憶部１０１に記憶されている履歴情報を参照し、直前の履歴が「自動原稿送り部１０が開いている」というものであれば、自動原稿送り部１０が開から閉に変更されたと判断し（ステップＳ１２；Ｙｅｓ）、プラテンガラス２２に原稿が載置されたものとして、例えば露光部３Ｙ、３Ｍ、３Ｃ、３Ｋに設置されたポリゴンミラーの回転を開始する等の印刷準備動作を開始する（ステップＳ１３）。その結果、ユーザーが画像形成装置Ｘのスタート釦を押したときには、ポリゴンミラーが定常回転になっているため、印刷動作をすぐに開始でき、ファーストコピータイムを短縮することが出来る。
【００５１】
以上、説明したように、光源２３１の点灯時においてライン読取部２６が受光した光量値１と、光源２３１の消灯時においてライン読取部２６が受光した光量値２とを用い、その差分と閾値を比較して自動原稿送り部の開閉状態を検知すれば、原稿読取装置外の外部の光が明るい場合でも暗い場合でも、自動原稿送り部１０が開いた状態と閉じた状態を明確に区別して判断することが出来る。そして、過去の開閉状態と現在の開閉状態とを利用すれば、外部環境の影響を受けず自動原稿送り部１０の開閉動作を確実に検知することができ、例えば、図５に示すように、開閉動作の検知結果を利用して印刷準備の動作を開始し、ファーストコピータイムの短縮を図ることが出来る。
【００５２】
次に光源２３１の点灯時においてライン読取部２６が受光した光量値と、光源２３１の消灯時においてライン読取部２６が受光した光量値とを用い、図５に示す動作とは異なる形態で自動原稿送り部１０の開閉動作を検知する動作を説明する。
【００５３】
図６は、自動原稿送り部１０の開閉状態及び開閉動作を検知して印刷準備を開始する動作を示すフローチャート図であり、図６の初期状態では自動原稿送り部１０が閉じた状態であることを想定している。また、ステップＳ１０３、Ｓ１０４、Ｓ１０７、Ｓ１０８で使用される最大光量値Ａ１と最大光量値Ｂ１のデフォルト値は０、最小光量値Ａ２と最小光量値Ｂ２のデフォルト値は２００（自動原稿送り部１０が閉じた状態で光源２３１が点灯した時にライン読取部２６が受光する光量の２倍の値）となっている。
【００５４】
まず、自動原稿送り部１０の開閉動作を検知するため、原稿読取装置ＹＳにおける光源２３１を点灯させ（ステップＳ１０１）、ライン読取部２６により受光した光量を読み取る（ステップＳ１０２）。
【００５５】
そして、読み取った光量の値と既存の最大光量値Ａ１を比較し、どちらか大きい方を新たな最大光量値Ａ１として記憶部１０１に保存する（ステップＳ１０３）。また、読み取った光量の値と既存の最小光量値Ａ２を比較し、どちらか小さい方を新たな最小光量値Ａ２として記憶部１０１に保存する（ステップＳ１０４）。
【００５６】
ステップＳ１０３とステップＳ１０４について具体的に説明すると、初期状態では自動原稿送り部１０が閉じた状態であるため、光源２３１から照射された光が自動原稿送り部１０によって反射されてライン読取部２６において読み取られ、読み取った光量の値は本実施形態において「１００」という値となる。ステップＳ１０３では読み取った光量の値が「１００」であり、最大光量値Ａ１のデフォルト値が「０」であるため、「１００」という値が新たな最大光量値Ａ１として保存される。また、ステップＳ１０４では読み取った光量の値が「１００」であり、最小光量値Ａ２のデフォルト値が「２００」であるため、「１００」という値が新たな最小光量値Ａ２として保存される。
【００５７】
ステップＳ１０３、Ｓ１０４において最大光量値Ａ１と最小光量値Ａ２が保存された後は、光源２３１の点灯を停止して光源２３１を消灯させ（ステップＳ１０５）、ライン読取部２６において受光した光量を読み取る（ステップＳ１０６）。
【００５８】
そして、読み取った光量の値と既存の最大光量値Ｂ１を比較し、どちらか大きい方を新たな最大光量値Ｂ１として記憶部１０１に保存する（ステップＳ１０７）。また、読み取った光量の値と既存の最小光量値Ｂ２を比較し、どちらか小さい方を新たな最小光量値Ｂ２として記憶部１０１に保存する（ステップＳ１０８）。
【００５９】
ステップＳ１０７とステップＳ１０８について具体的に説明すると、初期状態では自動原稿送り部１０が閉じた状態であるため、自動原稿送り部１０により外部の光が遮断されてライン読取部２６に入射する光はなく、読み取った光量の値は「０」という値となる。ステップＳ１０６では読み取った光量の値が「０」であり、最大光量値Ｂ１のデフォルト値が「０」であるため、「０」という値が新たな最大光量値Ｂ１として保存される。また、ステップＳ１０６では読み取った光量の値が「０」であり、最小光量値Ｂ２のデフォルト値が「２００」であるため、「０」という値が新たな最小光量値Ｂ２として保存される。
【００６０】
光源点灯時の最大光量値Ａ１、最小光量値Ａ２と、光源消灯時の最大光量値Ｂ１、最小光量値Ｂ２が原稿読取装置ＹＳの記憶部１０１において保存された後、光源点灯時の最大光量値Ａ１と最小光量値Ａ２との差分が基準となる閾値（本実施形態では５０という数値）より小さいか、又は光源消灯時の最大光量値Ｂ１と最小光量値Ｂ２との差分が基準となる閾値（本実施形態では５０という数値）より小さいか否かを判断する（ステップＳ１０９）。ステップＳ１０９における動作は開閉検知部１０２（図４参照）が所定のプログラムに基づいて実行する。
【００６１】
初期状態では、自動原稿送り部１０が閉まった状態であるため、ステップＳ１０１からＳ１０８までの初回の動作では、
最大光量値Ａ１：１００
最小光量値Ａ２：１００
最大光量値Ｂ１：０
最小光量値Ｂ２：０
として記憶部１０１に保存されている。従って、Ａ１とＡ２との差分、Ｂ１とＢ２との差分とも０であり、閾値（５０）より小さく、自動原稿送り部１０が閉まっているとして履歴保存される（Ｓ１１０）。そして、開閉検知部１０２が記憶部１０１に記憶されている履歴情報を参照し、初回の動作では自動原稿送り部１０が開から閉に変更されていないと判断し（ステップＳ１１４；Ｎｏ）、ステップＳ１０１に戻る。
【００６２】
ステップＳ１０１に戻り、ここで自動原稿送り部１０が閉じた状態から開いた状態に変化した場合を検討する。
【００６３】
自動原稿送り部１０が開いた状態において、光源２３１を点灯させた際にライン読取部２６で読み取られる光量（ステップＳ１０２）と、光源２３１を消灯させた際にライン読取部２６で読み取られる光量（ステップＳ１０６）は、両方とも外部の光に相応する光量となる。
【００６４】
まず、画像形成装置Ｘが設置された外部の光が明るい場合を検討する。例えば、外部の光が明るく、ステップＳ１０２、Ｓ１０６においてライン読取部２６で読み取られる光量値が例えば「６０」という値であり、初回のＳ１０１からＳ１１０、Ｓ１１４の動作の後に実行するステップＳ１０１からＳ１０８での動作では、
最大光量値Ａ１：１００
最小光量値Ａ２：６０
最大光量値Ｂ１：６０
最小光量値Ｂ２：０
として記憶部１０１に保存される。
【００６５】
その結果、Ａ１とＡ２の差分は「４０」、Ｂ１とＢ２の差分は「６０」となり、Ｂ１とＢ２の差分が閾値である「５０」より大きくなるため、ステップＳ１０９では「Ｎｏ」と判断され、自動原稿送り部１０が開いているとして記憶部１０１に履歴保存される（ステップＳ１１１）。
【００６６】
次に、画像形成装置Ｘが設置された外部の光が暗い場合を検討する。例えば、外部の光が暗く、ステップＳ１０２、Ｓ１０６においてライン読取部２６で読み取られる光量値が例えば「１０」という値であり、初回のＳ１０１からＳ１１０、Ｓ１１４の動作の後に実行するステップＳ１０１からＳ１０８での動作では、
最大光量値Ａ１：１００
最小光量値Ａ２：１０
最大光量値Ｂ１：１０
最小光量値Ｂ２：０
として記憶部１０１に保存される。
【００６７】
その結果、Ａ１とＡ２の差分は「９０」、Ｂ１とＢ２の差分は「１０」となり、今度はＡ１とＡ２の差分が閾値である「５０」より大きくなるため、ステップＳ１０９では「Ｎｏ」と判断され、自動原稿送り部１０が開いているとして記憶部１０１に履歴保存される（ステップＳ１１１）。
【００６８】
つまり、初回のＳ１０１からＳ１１０、Ｓ１１４の動作の後に実行するステップＳ１０１からＳ１０８での動作では、Ａ１とＡ２の差分とＢ１とＢ２の差分の両方を閾値と比較するので、外部の光が明るい場合でも暗い場合でも、自動原稿送り部１０が開いていると判断することが出来る。
【００６９】
自動原稿送り部１０が開いている場合は、まだプラテンガラス２２に原稿が載置されておらず、印刷準備動作を開始する必要がないため、ステップＳ１０１からＳ１０９の動作を繰り返す。ただし、自動原稿送り部１０が開いていることにより、まぶしいとユーザーに不快を感じさせないようにするため、光源２３１の光量を低減させるように制御部１００が光源２３１を制御する（ステップＳ１１２）。また、Ａ１、Ａ２、Ｂ１、Ｂ２をデフォルト値（Ａ１とＢ１のデフォルト値は０、Ａ２とＢ２のデフォルト値は２００）にリセットする（ステップＳ１１３）。
【００７０】
以上のようにステップＳ１０１からステップＳ１０９の動作を繰り返す。ステップＳ１１０において自動原稿送り部１０が閉じていると履歴保存され、開閉検知部１０２が記憶部１０１に記憶されている履歴情報を参照し、直前の履歴が「自動原稿送り部１０が開いている」というものであれば、自動原稿送り部１０が開から閉に変更されたと判断し（ステップＳ１１４；Ｙｅｓ）、プラテンガラス２２に原稿が載置されたものとして、例えば露光部３Ｙ、３Ｍ、３Ｃ、３Ｋに設置されたポリゴンミラーの回転を開始する等の印刷準備動作を開始する（ステップＳ１１５）。その結果、ユーザーが画像形成装置Ｘのスタート釦を押したときには、ポリゴンミラーが定常回転になっているため、印刷動作をすぐに開始でき、ファーストコピータイムを短縮することが出来る。
【００７１】
以上、説明したように、光源２３１の点灯時においてライン読取部２６が受光した最大光量値と最小光量値との差分と、閾値とを比較するとともに、光源２３１の消灯時においてライン読取部２６が受光した最大光量値と最小光量値との差分と、閾値とを比較することによって、画像形成装置外の外部の光が明るい場合でも暗い場合でも、自動原稿送り部１０が開いた状態と閉じた状態を明確に区別して判断することが出来る。従って、外部環境の影響を受けず、自動原稿送り部１０の開閉動作を確実に検知することができ、例えば、図６に示すように、開閉動作の検知結果を利用して印刷準備の動作を開始し、ファーストコピータイムの短縮を図ることが出来る。
【００７２】
以上、図１〜図６を用いて本発明を説明したが、本発明は当該実施形態に限定されるものではなく、本発明の要旨を逸脱しない範囲における変更や追加があっても本発明に含まれる。
【００７３】
本実施形態では、原稿読取装置ＹＳにおいて原稿の読取動作を行うために使用する光源２３１とライン読取部２６を用いて自動原稿送り部１０の開閉動作の検知を行い、コストの低減を図ったが、検知用に設置した別個の光源と読取部を用いて自動原稿送り部１０の開閉動作を検知してもよい。
【００７４】
また、本実施形態では応答性のよい発光ダイオードを用いた光源２３１を利用して自動原稿送り部１０の開閉動作を検知しているが、自動原稿送り部１０が開いた状態で、まぶしいとユーザーが不快に感じることを低減させるため、光源２３１における一部の発光ダイオードを利用して光を照射し、自動原稿送り部１０の開閉動作を検知してもよい。
【００７５】
さらに、開閉状態及び開閉動作検知のための光源として、可視光外域のものを利用すれば、自動原稿送り部１０が開いた状態であってもユーザはこの光を認識できないため、不快感を与えることもない。
【００７６】
なお、上記のいずれの実施形態においても、プラテンガラスが覆われて外光から遮断する状態を原稿カバーとしての自動原稿送り部１０が閉じられた状態であるとして検知している。即ち、実際は自動原稿送り部１０が開いた状態であっても、プラテンガラスが原稿によって覆われた状態にあっても、自動原稿送り部１０が閉じた状態であると検知する。従って、本発明における原稿カバーの開閉状態、原稿カバーの開閉動作とは、プラテンガラスが原稿カバー或いは原稿により覆われているか否かにより検知される場合を含む。
【符号の説明】
【００７７】
Ｘ  画像形成装置
ＹＳ  原稿読取装置
１０  自動原稿送り部
２０  読取部
２２  プラテンガラス
２６  ライン読取部
１００  制御部
１０１  記憶部
１０２  開閉検知部
２３１  光源
【図１】
0005605056.tif 000002
【図２】
0005605056.tif 000003
【図３】
0005605056.tif 000004
【図４】
0005605056.tif 000005
【図５】
0005605056.tif 000006
【図６】
0005605056.tif 000007